(57)【要約】【課題】記録媒体を表示制御装置に装着するとそれが所望の記録媒体であるかどうかを判断することが可能な表示制御装置、表示制御方法、プログラム及び該プログラムを記憶した記憶媒体を提供する。【解決手段】特定の識別子が関連づけられた第１の画像データと特定の識別子が関連づけられていない第２の画像データとを記録することができる記録媒体１０が着脱可能な装着部２０と、記録媒体が装着部に装着されたことを検出する検出部２１と、第１及び第２の画像データを表示することができる液晶表示部８と、記録媒体が装着部に装着されたことを検出部が検出すると前記第１の画像データを読み出して液晶表示部に自動的に表示させるマイクロコンピュータ１３と、を有する表示制御装置を提供する。【選択図】図４
2010103717.tif 000002
【特許請求の範囲】
【請求項１】
特定の識別子が関連づけられた第１の画像データと特定の識別子が関連づけられていない第２の画像データとを記録することができる記録媒体が着脱可能な装着部と、
前記記録媒体が前記装着部に装着されたことを検出する検出部と、
前記第１及び第２の画像データを表示することができる表示部と、
前記記録媒体が前記装着部に装着されたことを前記検出部が検出すると前記第１の画像データを読み出して前記表示部に自動的に表示させる制御部と、
を有することを特徴とする表示制御装置。
【請求項２】
前記第１の画像データは、前記記録媒体に記録された前記第１及び第２の画像データのうち前記第２の画像データと区別するために特定のファイル名が割り当てられ、前記制御部は前記特定のファイル名に基づいて前記第１の画像データを検索することを特徴とする請求項１に記載の表示制御装置。
【請求項３】
前記第１の画像データは、前記記録媒体に記録された前記第１及び第２の画像データのうち前記第２の画像データと区別するために特定の拡張子が割り当てられ、前記制御部は前記特定の拡張子に基づいて前記第１の画像データを検索することを特徴とする請求項１に記載の表示制御装置。
【請求項４】
前記第１の画像データは、前記記録媒体に記録された前記第１及び第２の画像データのうち前記第２の画像データと区別するために前記記録媒体の特定のフォルダに記録され、前記制御部は前記特定のフォルダにおいて前記第１の画像データを検索することを特徴とする請求項１に記載の表示制御装置。
【請求項５】
前記第１の画像データを前記表示部に自動的に表示する機能をキャンセルする設定を行う設定部を更に有する請求項１〜４のうちいずれか一項に記載の表示制御装置。
【請求項６】
前記制御部は前記記録媒体を初期化することができ、前記記録媒体を初期化する際に前記第１の画像データを削除せずに自動的に保存し、前記第２の画像データを削除することを特徴とする請求項１〜４のうちいずれか一項に記載の表示制御装置。
【請求項７】
前記第１の画像データを自動的に保存する機能をキャンセルする設定を行う設定部を更に有する請求項６に記載の表示制御装置。
【請求項８】
前記制御部は、複数の前記第１の画像データが存在する場合には、作成時刻が最新の前記第１の画像データを前記表示部に自動的に表示させることを特徴とする請求項１に記載の表示制御装置。
【請求項９】
前記制御部は、複数の前記第１の画像データが存在する場合には、全ての前記第１の画像データを一定間隔で前記表示部に自動的に表示させることを特徴とする請求項１に記載の表示制御装置。
【請求項１０】
記録媒体が装着部に装着されたかどうかを検出するステップと、
前記記録媒体が前記装着部に装着されたのを検出した場合、前記記録媒体に特定の識別子が関連づけられた第１の画像データがあるかどうかを判断するステップと、
前記記録媒体に前記第１の画像データがあると判断された場合、前記第１の画像データを読み出して表示部に自動的に表示するステップと、を有することを特徴とする表示制御方法。
【請求項１１】
コンピュータを、
特定の識別子が関連づけられた第１の画像データと特定の識別子が関連づけられていない第２の画像データとを記録することができる記録媒体が装着部に装着されたことを検出する検出手段と、
前記第１及び第２の画像データを表示することができる表示手段と、
前記記録媒体が前記装着部に装着されたことを前記検出手段が検出すると前記第１の画像データを読み出して表示部に自動的に表示させる制御手段として機能させることを特徴とするプログラム。
【請求項１２】
請求項１１に記載されるプログラムを記憶する記憶媒体。
【発明の詳細な説明】
【技術分野】
【０００１】
本発明は、記録媒体が着脱可能な表示制御装置、表示制御方法、プログラム及び該プログラムを記憶した記憶媒体に関する。
【背景技術】
【０００２】
デジタルカメラにおいて、撮影された画像をＣＦ（コンパクトフラッシュ（登録商標））カードなどの記録媒体に記録することは知られている。また、記録媒体に記録された画像の検索において、特許文献１は、記録媒体に記録された画像のうちで特定期間内に撮影された画像を設定された条件でディスプレイに表示するデジタルカメラを提案している。
【特許文献１】２００３−２０４５０８号公報
【発明の開示】
【発明が解決しようとする課題】
【０００３】
しかし、特許文献１のデジタルカメラを使用しても、記録媒体が記録している画像を再生しないと当該記録媒体が目的の記録媒体かどうかを判断することができない。このため、記録媒体が複数あれば所望の画像を記録している記録媒体を見つけるのに時間がかかることになる。
【０００４】
本発明は、記録媒体を表示制御装置に装着するとそれが所望の記録媒体であるかどうかを判断することが可能な表示制御装置、表示制御方法、プログラム及び該プログラムを記憶した記憶媒体を提供することを例示的な目的とする。
【課題を解決するための手段】
【０００５】
本発明の一側面としての表示制御装置は、特定の識別子が関連づけられた第１の画像データと特定の識別子が関連づけられていない第２の画像データとを記録することができる記録媒体が着脱可能な装着部と、前記記録媒体が前記装着部に装着されたことを検出する検出部と、前記第１及び第２の画像データを表示することができる表示部と、前記記録媒体が前記装着部に装着されたことを前記検出部が検出すると前記第１の画像データを読み出して前記表示部に自動的に表示させる制御部と、を有する。
【０００６】
本発明の他の目的及び特徴は、以下の実施例において説明される。
【発明の効果】
【０００７】
本発明によれば、記録媒体を表示制御装置に装着するとそれが所望の記録媒体であるかどうかを判断することが可能な表示制御装置、表示制御方法、プログラム及び該プログラムを記憶した記憶媒体を提供することができる。
【発明を実施するための最良の形態】
【０００８】
図１は、デジタルカメラ（撮像装置）のブロック図である。
【０００９】
１はフォーカスレンズを含む撮影レンズ、２はフォーカスレンズを用いたオートフォーカス（ＡＦ）駆動を行うＡＦ駆動部、３は絞り、４は自動露出（ＡＥ）を行う絞り３を駆動する絞り駆動部、５は、被写体像を撮像する撮像素子である。６は撮像素子５の撮像出力をデジタル情報（画像データ）に変換するＡ／Ｄ変換器、７は画像データを現像／圧縮する映像信号処理部である。８は画像データを表示することができると共に各種モードの設定を行う液晶表示部、９は液晶表示部８を駆動する液晶表示部駆動部である。
【００１０】
１０は画像データを記録することができる記録媒体であり、例えば、ＣＦカードから構成されるが、記録媒体の種類は特に限定されない。画像データには、後述するように、特定の識別子が関連づけられた画像データ（第１の画像データ）と、特定の識別子が関連づけられていない画像データ（第２の画像データ）が含まれる。特定の識別子としては、記録媒体１０に記録された画像データ（第１及び第２の画像データ）のうち第１の画像データを第２の画像データと区別するのに使用される。第１の画像データは、記録媒体１０に記録された画像データのうち第２の画像データと区別するために、識別子として特定のファイル名（実施例１）又は特定の拡張子（実施例２）が割り当てられている。若しくは、記録媒体１０に記録された画像データのうち第２の画像データと区別するために記録媒体１０の特定のフォルダに記録されている（実施例３）。この場合は第１の画像データに関連付けられた格納先を示す情報が特定の識別子となる。
【００１１】
１１は記録媒体１０に画像データを記録し、また、記録された画像データを再生するメモリ制御部、１２は記録媒体１０に画像データを記録する前に一時的に保存するバッファメモリである。
【００１２】
１３はユーザーの操作やカメラ内の設定に従ってＡＦ駆動部２、絞り駆動部４、映像信号処理部７を制御するマイクロコンピュータ（制御部）である。マイクロコンピュータ１３は、後述する実施例５においては、記録媒体１０を初期化することができる。この場合、マイクロコンピュータ１３は、記録媒体１０を初期化する際に第１の画像データを削除せずに自動的に記録媒体１０にそのまま保存し、第２の画像データを削除するようにメモリ制御部１１を制御する。
【００１３】
１４はレリーズスイッチ（ＳＷ）である。１５はレリーズＳＷ１４以外の各種モード設定を行う設定ＳＷである。設定ＳＷ１５は、後述する実施例４においては、特定の画像のデータ（第１の画像データ）を液晶表示部８に自動的に表示する機能をキャンセルする設定を行う設定部としても機能する。また、設定ＳＷ１５は、後述する実施例６においては、特定の画像のデータ（第１の画像データ）を自動的に保存する機能をキャンセルする設定を行う設定部としても機能する。１６は記録された画像を再生する再生ＳＷ、１７はカメラ全体に電力を供給する電源である。
【００１４】
２０は、記録媒体１０が着脱可能な装着部である。装着部２０の内部には記録媒体１０が装着部２０に装着されたこと及び記録媒体１０が装着部２０から排出されたことを検出する検出部２１が設けられ、検出部２１による検出結果はマイクロコンピュータ１３に送信される。この結果、マイクロコンピュータ１３は記録媒体１０の着脱を検出することができる。検出部２１による検出方式は、記録媒体１０の端部に接触して変位してバネ力により復帰する機械的方式、光センサなどの光学的方式など限定されない。マイクロコンピュータ１３は、後述する実施例１においては、記録媒体１０が装着部２０に装着されたことを検出部２１が検出すると、記録媒体１０の後述する特定の画像のデータを、メモリ制御部１１を制御して読み出し、液晶表示部８に自動的に表示させる。この読み出し動作は記録媒体１０の装着が検出された直後に行われ、液晶表示部８が他のデータを表示している場合には割り込みで行われる。マイクロコンピュータ１３は、第１の画像データを読み出す際には、第１の画像データに割り当てられた特定のファイル名（実施例１）や特定の拡張子（実施例２）に基づいて第１の画像データを検索することができる。若しくは、マイクロコンピュータ１３は、記録媒体１０の特定のフォルダにおいて第１の画像データを検索することができる（実施例３）。
【００１５】
動作において、ユーザーが記録媒体１０を装着部２０に装着し、レリーズＳＷ１４でレリーズすると、撮像素子５及びＡ／Ｄ変換器６を通して撮影された画像が映像信号処理部７に送られる。映像信号処理部７が処理した画像データをメモリ制御部１１が記録媒体１０に記録する。記録媒体１０に記録された画像を再生する場合は、ユーザーが再生ＳＷ１６をオンして記録媒体１０から記録された画像を読み出し、液晶表示部８に表示する。  
【実施例１】
【００１６】
図２は、デジタルカメラに記録媒体１０を装着部２０に装着した場合の実施例１による動作を説明するためのフローチャートである。図２において、「Ｓ」はステップの略であり、これは図４以降でも同様である。
【００１７】
図２において、まず、マイクロコンピュータ１３（検出手段）は、カメラ本体に記録媒体１０が装着部２０に装着されたかどうかを検出部２１による検出結果に基づいて判断し（Ｓ１０１）、装着されるまで待機する（Ｓ１０１のＮ）。マイクロコンピュータ１３は、記録媒体１０が装着部２０に装着されたと判断すると（Ｓ１０１のＹ）、記録媒体１０に「ｓｔａｒｔ．ｊｐｇ」なる画像ファイル（特定の画像のデータ又は第１の画像データ）があるかどうかを判断する（Ｓ１０２）。マイクロコンピュータ１３（表示手段、制御手段）は、「ｓｔａｒｔ．ｊｐｇ」があると判断すれば（Ｓ１０２のＹ）、その画像ファイルを液晶表示部８に２秒間表示（Ｓ１０３）して処理を終了する。また、マイクロコンピュータ１３は、「ｓｔａｒｔ．ｊｐｇ」がないと判断すれば（Ｓ１０２のＮ）、そのまま処理を終了する。本実施例では、前提として、第１の画像データはｓｔａｒｔ．ｊｐｇというファイル名で保存されている必要がある。この「ｓｔａｒｔ．ｊｐｇ」というファイル名が、第１の画像を示す識別子である。もちろんファイル名は「ｓｔａｒｔ．ｊｐｇ」に限定されない。また、拡張子より前の部分（「ｓｔａｒｔ．ｊｐｇ」というファイル名では「ｓｔａｒｔ」の部分）のみを識別子として、拡張子は問わず「．ｂｍｐ」や「．ｇｉｆ」等、どの形式の画像ファイルも第１の画像ファイルとなり得るようにしても良い。本実施例は、記録媒体１０にファイル名ｓｔａｒｔ．ｊｐｇの画像ファイル（第１の画像データ）が０又は１つしかない場合を前提としている。しかし、第１の画像データが複数存在する場合にはファイル作成時刻が最新のファイルを表示したり、全てのファイルを一定間隔で自動的に表示したりすることができる。ユーザーは撮影済みの任意の画像を別個にｓｔａｒｔ．ｊｐｇというファイル名で保存してもよい。また、Ｓ１０３の表示時間は２秒間に限定されず、ユーザーは任意の時間を設定してもよい。
【００１８】
図３（ａ）は、ユーザーが複数の記録媒体１０を持っていた場合にユーザーの名前（ＴＯＭ）と日付（０１．ＪＵＮＥ．２００８）と記録媒体１０の番号（Ｎｏ．１）を紙に書いて撮影し、この画像データを「ｓｔａｒｔ．ｊｐｇ」として保存したものである。図３（ｂ）は複数の使用者が各自１枚ずつ記録媒体１０を所有してデジタルカメラを共有して使用する場合に記録媒体１０のユーザーの顔を撮影したものである。特定の画像（第１の画像データ）は、記録媒体１０に記録されている画像データの撮影時期、撮影されたイベント（運動会など）、撮影者又は被撮影者の情報、撮影された画像のインデックス情報を含む。このため、第１の画像データは、当該記録媒体１０（当該記録媒体１０に記録されている画像データ）と、他の記録媒体１０（他の記録媒体１０に記録された画像データ）とを識別するための識別データとしての機能を有する。
【００１９】
本実施例のデジタルカメラは、記録媒体１０を装着部２０に装着した直後にスタートアップ表示画面として記録媒体１０に保存された特定の画像のデータ（第１の画像データ）を一定時間液晶表示部８に自動的に表示する。このため、ユーザーは記録媒体１０の第１の画像データ以外の第２の画像データを再生することなく記録媒体１０が自分の所望している記録媒体であるかどうかを判断することができる。
【実施例２】
【００２０】
実施例１は、特定の画像（第１の画像データ）をｓｔａｒｔ．ｊｐｇというファイル名で特定したが、本実施例は拡張子を識別子として特定する。図４は、デジタルカメラに記録媒体１０を装着した場合の実施例２による動作を説明するためのフローチャートである。Ｓ１０１は図２と同様であるので説明は省略する。
【００２１】
マイクロコンピュータ１３は、記録媒体１０が装着部２０に装着されたと判断すると（Ｓ１０１のＹ）、記録媒体１０に「＊＊＊．ｓｔｔ」なる画像ファイル（特定の画像のデータ又は第１の画像データ）があるかどうかを判断する（Ｓ２０２）。マイクロコンピュータ１３は、「＊＊＊．ｓｔｔ」があると判断すれば（Ｓ２０２のＹ）、その画像ファイルを液晶表示部８に２秒間表示（Ｓ２０３）して処理を終了し、ないと判断すれば（Ｓ２０２のＮ）、そのまま処理を終了する。本実施例では、前提として、第１の画像データはｓｔｔという拡張子で保存されている必要がある。本実施例は、記録媒体１０に拡張子ｓｔｔの画像ファイルが０又は１つしかない場合を前提としているが、複数存在する場合にはファイル作成時刻が最新のファイルを表示したり、全てのファイルを一定間隔で自動的に表示したりすることができる。ユーザーは撮影済みの任意の画像を別個に拡張子ｓｔｔというファイル名で保存してもよい。また、Ｓ２０３の表示時間は２秒間に限定されず、ユーザーは任意の時間を設定してもよい。
【００２２】
本実施例のデジタルカメラは、記録媒体１０を装着部２０に装着した直後にスタートアップ表示画面として記録媒体１０に保存された特定の画像のデータ（第１の画像データ）を一定時間液晶表示部８に自動的に表示する。このため、ユーザーは記録媒体１０の第２の画像データを再生することなく記録媒体１０が自分の所望している記録媒体であるかどうかを判断することができる。
【実施例３】
【００２３】
実施例１は、特定の画像をｓｔａｒｔ．ｊｐｇというファイル名で特定したが、本実施例はフォルダ名で特定する。図５は、デジタルカメラに記録媒体１０を装着した場合の実施例３による動作を説明するためのフローチャートである。Ｓ１０１は図２と同様であるので説明は省略する。
【００２４】
マイクロコンピュータ１３は、記録媒体１０が装着部２０に装着されたと判断すると（Ｓ１０１のＹ）、記録媒体１０にｓｔａｒｔというフォルダ名のフォルダがあるかどうかを判断する（Ｓ３０１）。マイクロコンピュータ１３は、ｓｔａｒｔというフォルダがあると判断すれば（Ｓ３０１のＹ）、そのフォルダに画像ファイル（特定の画像のデータ又は第１の画像データ）があるかどうかを判断する（Ｓ３０２）。マイクロコンピュータ１３は、画像ファイルがあると判断すれば（Ｓ３０２のＹ）、画像ファイルを液晶表示部８に２秒間表示（Ｓ３０３）して処理を終了する。一方、マイクロコンピュータ１３は、ｓｔａｒｔというフォルダがないと判断するか（Ｓ３０１のＮ）、ｓｔａｒｔというフォルダに画像ファイルがないと判断すると（Ｓ３０２のＮ）、そのまま処理を終了する。本実施例では、前提として、第１の画像データはｓｔａｒｔというフォルダに保存されている必要がある。本実施例は、ｓｔａｒｔというフォルダに画像ファイルが０又は１つしかない場合を前提としているが、複数存在する場合には作成時刻が最新ものを選んで表示したり、全てのファイルを一定間隔で自動的に表示したりすることができる。ユーザーは撮影済みの任意の画像を別個にｓｔａｒｔというフォルダに保存してもよい。また、Ｓ２０３の表示時間は２秒間に限定されず、ユーザーは任意の時間を設定してもよい。
【００２５】
本実施例のデジタルカメラは、記録媒体１０を装着部２０に装着した直後にスタートアップ表示画面として記録媒体１０に保存された特定の画像のデータ（第１の画像データ）を一定時間液晶表示部８に自動的に表示する。このため、ユーザーは記録媒体１０の第２の画像データを再生することなく記録媒体１０が自分の所望している記録媒体であるかどうかを判断することができる。
【実施例４】
【００２６】
実施例１は、記録媒体１０を装着部２０に装着した直後に第１の画像データを液晶表示部８に自動的に表示させているが、本実施例は、第１の画像データの自動表示をユーザーがキャンセルすることができる。図６は、デジタルカメラに記録媒体１０を装着した場合の実施例４による動作を説明するためのフローチャートである。本実施例は、図２に示すフローのＳ１０２とＳ１０３の間にＳ４０１を挿入している。図６において、マイクロコンピュータ１３は、「ｓｔａｒｔ．ｊｐｇ」があると判断すれば（Ｓ１０２のＹ）、設定ＳＷ１５の一つがオンされたかどうかを判断する（Ｓ４０１）。マイクロコンピュータ１３は、設定ＳＷ１５がオンされたと判断すると（Ｓ４０１のＹ）、Ｓ１０３に移行し、設定ＳＷ１５がオンされていないと判断すると（Ｓ４０１のＮ）、そのまま処理を終了する。なお、前提条件は実施例１と同様である。
【００２７】
本実施例のデジタルカメラは、記録媒体１０を装着部２０に装着した直後にスタートアップ表示画面として記録媒体１０に保存された特定の画像のデータ（第１の画像データ）を一定時間液晶表示部８に自動的に表示する。このため、ユーザーは記録媒体１０の第２の画像データを再生することなく記録媒体１０が自分の所望している記録媒体であるかどうかを判断することができる。また、ユーザーは記録媒体１０の内容が予め分かっている場合には特定の画像（第１の画像データ）を表示せずに直ちに撮影動作に移行することができる。なお、自動表示のキャンセルは設定ＳＷ１５以外の手段（例えば、液晶表示部８のモード設定画面）で行ってもよい。
【実施例５】
【００２８】
ユーザーが記録媒体１０をデジタルカメラで初期化（フォーマット）する際、自動表示用の特定の画像はスタートアップ画面表示用として削除せずに残しておく方がユーザーにとって便利な場合がある。図７は、この機能を備えたデジタルカメラの動作を説明するフローチャートである。図７において、特定の画像は実施例１と同様のｓｔａｒｔ．ｊｐｇであるものとする。
【００２９】
図７において、マイクロコンピュータ１３は、デジタルカメラに装着された記録媒体１０の初期化を実行するか否かを判断し（Ｓ５０１）、実行すると判断するまで待機する（Ｓ５０１のＮ）。マイクロコンピュータ１３は、設定ＳＷ１５を介してユーザーにより入力された情報に基づいてＳ５０１の判断を行う。マイクロコンピュータ１３は、記録媒体１０の初期化を実行すると判断すると（Ｓ５０１のＹ）、ファイル名がｓｔａｒｔ．ｊｐｇであるかどうかを判断する（Ｓ５０２）。マイクロコンピュータ１３は、ファイル名がｓｔａｒｔ．ｊｐｇでないと判断すれば（Ｓ５０２のＮ）、メモリ制御部１１を制御してファイルを削除する（Ｓ５０３）。一方、マイクロコンピュータ１３は、ファイル名がｓｔａｒｔ．ｊｐｇであると判断すれば（Ｓ５０２のＹ）、当該ファイルを削除しない（Ｓ５０４）。マイクロコンピュータ１３は、全ファイルの処理が終了したと判断すると（Ｓ５０５のＹ）、処理を終了し、全ファイルの処理が終了していないと判断すると（Ｓ５０５のＮ）、Ｓ５０２に帰還する。
【００３０】
このように、本実施例のデジタルカメラは、例えば、図３（ｂ）に示す画像は残すことができるため、ユーザーは特定の画像（第１の画像データ）の再作成を行う必要がなくなる。
【実施例６】
【００３１】
実施例５は特定の画像（第１の画像データ）を自動的に残しているが、本実施例は特定の画像の自動保存をユーザーがキャンセルすることができる。図８は、この機能を備えたデジタルカメラの動作を説明するフローチャートであり、図７のＳ５０２のＹの後でＳ６０１を挿入している変形例である。即ち、図８において、マイクロコンピュータ１３は、ファイル名がｓｔａｒｔ．ｊｐｇであると判断すれば（Ｓ５０２のＹ）、設定ＳＷ１５がオンされたかどうかを判断する（Ｓ６０１）。マイクロコンピュータ１３は、設定ＳＷ１５がオンされたと判断すると（Ｓ６０１のＹ）、Ｓ５０３に移行し、設定ＳＷ１５がオンされていないと判断すると（Ｓ６０１のＮ）、Ｓ５０４に移行する。それ以外は、図７と同様であるので説明は省略する。設定ＳＷ１５がオンされた場合は、特定の画像の自動保存をユーザーがキャンセルした場合である。なお、自動保存のキャンセルは設定ＳＷ１５以外の手段（例えば、液晶表示部８のモード設定画面）で行ってもよい。
【００３２】
本実施例のデジタルカメラによれば、ユーザーは、不要な特定の画像は削除し、必要な特定の画像を残すことができる。
【００３３】
なお、上述した実施の形態の処理は、各機能を具現化したソフトウェアのプログラムコード（プログラム）を記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００３４】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施例の機能が実現される場合も含まれている。
【００３５】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【００３６】
なお、前述の実施例においては、表示制御装置としてデジタルカメラを例に挙げて本発明の説明をした。しかし、本発明の表示制御装置はこれに限定されず、例えば、ビューワーや携帯電話、コンパクトフォトプリンタなど、メモリカード等の着脱自在な記録媒体を装着して画像表示できるもの全てに適用可能である。
【図面の簡単な説明】
【００３７】
【図１】本発明のデジタルカメラ（撮像装置）のブロック図である。
【図２】実施例１のデジタルカメラに記録媒体を装着した場合の動作を説明するためのフローチャートである。
【図３】図２に示すｓｔａｒｔ．ｊｐｇの画像の一例である。
【図４】実施例２のデジタルカメラに記録媒体を装着した場合の動作を説明するためのフローチャートである。
【図５】実施例３のデジタルカメラに記録媒体を装着した場合の動作を説明するためのフローチャートである。
【図６】実施例４のデジタルカメラに記録媒体を装着した場合の動作を説明するためのフローチャートである。
【図７】実施例５のデジタルカメラで記録媒体を初期化する動作を説明するためのフローチャートである。
【図８】実施例６のデジタルカメラで記録媒体を初期化する動作を説明するためのフローチャートである。
【符号の説明】
【００３８】
８                    液晶表示部
１０                  記録媒体
１３                  マイクロコンピュータ（制御部）
【図１】
2010103717.tif 000003
【図２】
2010103717.tif 000004
【図３】
2010103717.tif 000005
【図４】
2010103717.tif 000006
【図５】
2010103717.tif 000007
【図６】
2010103717.tif 000008
【図７】
2010103717.tif 000009
【図８】
2010103717.tif 000010